(57)【要約】【課題】本発明は断熱手袋干し装置を開示した。【解決手段】本体と前記本体の中に位置している操作チャンバとを含み、前記操作チャンバの右壁の中には両側が貫通している掛けチャンバが設置され、前記掛けチャンバの中には掛け装置が設置され、前記操作チャンバの底壁の中には切り換えチャンバが設置され、前記切り換えチャンバの中にはネジ山スリーブが回転できるように設置され、前記ネジ山スリーブの外表面には第一歯車が固定的に設置され、前記ネジ山スリーブの中には上下に貫通しているネジ山穴が設置され、前記ネジ山穴の中には上下に伸びているネジ山ロッドがねじ山により連結される。【選択図】図１
2020175133.tif 000002
【特許請求の範囲】
【請求項１】
正面視で、本体と前記本体の中に位置している操作チャンバとを含み、前記操作チャンバの右壁の中には両側が貫通している掛けチャンバが設置され、前記掛けチャンバの中には掛け装置が設置され、前記操作チャンバの底壁の中には切り換えチャンバが設置され、前記切り換えチャンバの中にはネジ山スリーブが回転できるように設置され、前記ネジ山スリーブの外表面には第一歯車が固定的に設置され、前記ネジ山スリーブの中には上下に貫通しているネジ山穴が設置され、前記ネジ山穴の中には上下に伸びているネジ山ロッドがねじ山により連結され、前記ネジ山ロッドの頂部末端には回転盤が固定的に設置され、前記切り換えチャンバの中には上げ装置が設置され、前記切り換えチャンバの底壁の中には上方に開口したスライドチャンバが設置され、前記スライドチャンバの中にはスライドブロックがスライドできるように設置され、前記スライドブロックには動力装置が設置され、前記切り換えチャンバの底壁の中には回転チャンバが設置され、前記回転チャンバの中には回転装置が設置されることを特徴とする断熱手袋干し装置。
【請求項２】
前記掛け装置は前記掛けチャンバの後壁の中に設置される伝動チャンバを含み、前記伝動チャンバと前記掛けチャンバとの間には第一回転軸が回転できるように設置され、前記掛けチャンバの中にある前記第一回転軸の末端には回転ブロックが固定的に設置され、前記回転ブロックの外円周には八つの凹溝が環状に排列するように設置され、前記伝動チャンバの中にある前記第一回転軸の末端には第一傘歯車と前記第一傘歯車の後側に位置している回し輪とが固定的に設置され、前記伝動チャンバの底壁の中にはベルトチャンバが設置され、前記ベルトチャンバと前記伝動チャンバとの間には第二回転軸が回転できるように設置され、前記伝動チャンバの中にある前記第二回転軸の末端には前記第一傘歯車と噛合する第二傘歯車が固定的に設置され、前記ベルトチャンバの中にある前記第二回転軸の末端には第一プーリーが固定的に設置され、前記ベルトチャンバと前記切り換えチャンバとの間には第三回転軸が回転できるように設置され、前記ベルトチャンバの中にある前記第三回転軸の末端には第二プーリーが固定的に設置され、前記第二プーリーと前記第一プーリーとの間がベルトにより伝動できるように連結され、前記切り換えチャンバの中にある前記第三回転軸の末端には第二歯車が固定的に設置されることを特徴とする請求項１に記載の断熱手袋干し装置。
【請求項３】
前記上げ装置は前記回転盤の外表面に環状に設置される四組の掛け枠を含み、前記掛け枠の底壁には二つの固定座が設置され、前記固定座の中には第四回転軸が回転できるように設置され、前記第四回転軸の外表面には伝送輪が固定的に設置され、両側の前記伝送輪の間が強い磁力を持つ伝送ベルトにより伝動できるように接続され、外側の前記第四回転軸の末端には前記回し輪と連結される溝車が固定的に設置されることを特徴とする請求項１または請求項２に記載の断熱手袋干し装置。
【請求項４】
前記動力装置は前記スライドブロックの頂壁の中に固定的に設置される第一モータを含み、前記第一モータの出力軸のうち上に伸びている末端には第三歯車が固定的に設置され、前記スライドチャンバの右壁の中にはカムチャンバが設置され、前記カムチャンバと前記スライドチャンバとの間には第一スライド穴が連通するように設置され、前記第一スライド穴の中には前記スライドブロックと固定的に連結されるスライドロッドがスライドできるように設置され、前記スライドロッドと前記第一スライド穴の端壁との間には第一復帰装置が弾性を持つように設置され、前記カムチャンバの底壁の中には歯車チャンバが設置され、前記歯車チャンバと前記カムチャンバとの間には第五回転軸が回転できるように設置され、前記歯車チャンバの中にある前記第五回転軸の末端には第四歯車が固定的に設置され、前記カムチャンバの中にある前記第五回転軸の末端には第一カムが固定的に設置されることを特徴とする請求項１または請求項２または請求項３に記載の断熱手袋干し装置。
【請求項５】
前記回転装置は前記ネジ山ロッドの底壁の中に設置されるスプライン穴を含み、前記スプライン穴の中には下に伸びているスプライン軸がスプラインにより連結され、前記スプライン軸の底部末端が前記回転チャンバの中に伸びており、且つ前記スプライン軸の底部末端にはウォームホイールが固定的に設置され、前記回転チャンバの後壁の中には押圧チャンバが設置され、前記押圧チャンバと前記回転チャンバとの間には前記ウォームホイールと噛合しているウォームが回転できるように設置され、前記ウォームの末端が前記押圧チャンバの中に挿入され、且つ前記ウォームの末端と前記押圧チャンバの後壁の中に固定的に設置される第二モータとが伝動できるように連結され、前記押圧チャンバの中にある前記ウォームの外表面には第二カムが固定的に設置され、前記押圧チャンバと前記歯車チャンバとの間には第二スライド穴が連通するように設置され、前記第二スライド穴の中にはラックがスライドできるように設置され、前記ラックと前記第二スライド穴の端壁との間には第二復帰装置が弾性を持つように設置されることを特徴とする請求項１または請求項２または請求項３または請求項４に記載の断熱手袋干し装置。
【発明の詳細な説明】
【技術分野】
【０００１】
本発明は防護用品分野を取り上げて、具体的には断熱手袋干し装置である。
【背景技術】
【０００２】
断熱手袋は各種の形式の高温熱度を隔てられ、手の傷害を防止する防護性手袋であり、その使用環境が衛生に対する要求が高いため、タイムリーに洗浄し干す必要があり、伝統的な干し装置は同時に干した手袋の量が少なく、また自動化程度が低く、干しが不便であり、同時にこれらの設備の干しが均一ではなく、回転干しできなく、従って断熱手袋干し装置を設計し手袋を干し、それにより干し効率を高める。
【先行技術文献】
【特許文献】
【０００３】
【特許文献１】中国特許出願公開第１０９１０５９８５号明細書
【発明の概要】
【発明が解決しようとする課題】
【０００４】
本発明の目的は断熱手袋干し装置を提供し、それは上記の現在の技術中の問題を解決できる。
【課題を解決するための手段】
【０００５】
本発明の断熱手袋干し装置は、本体と前記本体の中に位置している操作チャンバとを含み、前記操作チャンバの右壁の中には両側が貫通している掛けチャンバが設置され、前記掛けチャンバの中には掛け装置が設置され、前記操作チャンバの底壁の中には切り換えチャンバが設置され、前記切り換えチャンバの中にはネジ山スリーブが回転できるように設置され、前記ネジ山スリーブの外表面には第一歯車が固定的に設置され、前記ネジ山スリーブの中には上下に貫通しているネジ山穴が設置され、前記ネジ山穴の中には上下に伸びているネジ山ロッドがねじ山により連結され、前記ネジ山ロッドの頂部末端には回転盤が固定的に設置され、前記切り換えチャンバの中には上げ装置が設置され、前記切り換えチャンバの底壁の中には上方に開口したスライドチャンバが設置され、前記スライドチャンバの中にはスライドブロックがスライドできるように設置され、前記スライドブロックには動力装置が設置され、前記切り換えチャンバの底壁の中には回転チャンバが設置され、前記回転チャンバの中には回転装置が設置される。
【０００６】
前記掛け装置は前記掛けチャンバの後壁の中に設置される伝動チャンバを含み、前記伝動チャンバと前記掛けチャンバとの間には第一回転軸が回転できるように設置され、前記掛けチャンバの中にある前記第一回転軸の末端には回転ブロックが固定的に設置され、前記回転ブロックの外円周には八つの凹溝が環状に排列するように設置され、前記伝動チャンバの中にある前記第一回転軸の末端には第一傘歯車と前記第一傘歯車の後側に位置している回し輪とが固定的に設置され、前記伝動チャンバの底壁の中にはベルトチャンバが設置され、前記ベルトチャンバと前記伝動チャンバとの間には第二回転軸が回転できるように設置され、前記伝動チャンバの中にある前記第二回転軸の末端には前記第一傘歯車と噛合する第二傘歯車が固定的に設置され、前記ベルトチャンバの中にある前記第二回転軸の末端には第一プーリーが固定的に設置され、前記ベルトチャンバと前記切り換えチャンバとの間には第三回転軸が回転できるように設置され、前記ベルトチャンバの中にある前記第三回転軸の末端には第二プーリーが固定的に設置され、前記第二プーリーと前記第一プーリーとの間がベルトにより伝動できるように連結され、前記切り換えチャンバの中にある前記第三回転軸の末端には第二歯車が固定的に設置される。
【０００７】
前記上げ装置は前記回転盤の外表面に環状に設置される四組の掛け枠を含み、前記掛け枠の底壁には二つの固定座が設置され、前記固定座の中には第四回転軸が回転できるように設置され、前記第四回転軸の外表面には伝送輪が固定的に設置され、両側の前記伝送輪の間が強い磁力を持つ伝送ベルトにより伝動できるように接続され、外側の前記第四回転軸の末端には前記回し輪と連結される溝車が固定的に設置される。
【０００８】
優選的には、前記動力装置は前記スライドブロックの頂壁の中に固定的に設置される第一モータを含み、前記第一モータの出力軸のうち上に伸びている末端には第三歯車が固定的に設置され、前記スライドチャンバの右壁の中にはカムチャンバが設置され、前記カムチャンバと前記スライドチャンバとの間には第一スライド穴が連通するように設置され、前記第一スライド穴の中には前記スライドブロックと固定的に連結されるスライドロッドがスライドできるように設置され、前記スライドロッドと前記第一スライド穴の端壁との間には第一復帰装置が弾性を持つように設置され、前記カムチャンバの底壁の中には歯車チャンバが設置され、前記歯車チャンバと前記カムチャンバとの間には第五回転軸が回転できるように設置され、前記歯車チャンバの中にある前記第五回転軸の末端には第四歯車が固定的に設置され、前記カムチャンバの中にある前記第五回転軸の末端には第一カムが固定的に設置される。
【０００９】
優選的には、前記回転装置は前記ネジ山ロッドの底壁の中に設置されるスプライン穴を含み、前記スプライン穴の中には下に伸びているスプライン軸がスプラインにより連結され、前記スプライン軸の底部末端が前記回転チャンバの中に伸びており、且つ前記スプライン軸の底部末端にはウォームホイールが固定的に設置され、前記回転チャンバの後壁の中には押圧チャンバが設置され、前記押圧チャンバと前記回転チャンバとの間には前記ウォームホイールと噛合しているウォームが回転できるように設置され、前記ウォームの末端が前記押圧チャンバの中に挿入され、且つ前記ウォームの末端と前記押圧チャンバの後壁の中に固定的に設置される第二モータとが伝動できるように連結され、前記押圧チャンバの中にある前記ウォームの外表面には第二カムが固定的に設置され、前記押圧チャンバと前記歯車チャンバとの間には第二スライド穴が連通するように設置され、前記第二スライド穴の中にはラックがスライドできるように設置され、前記ラックと前記第二スライド穴の端壁との間には第二復帰装置が弾性を持つように設置される。
【発明の効果】
【００１０】
本発明の有益的な効果は：本発明の手袋干し装置は全体構造においてより合理的で巧妙であり、使用しやすく、同時に自動的に大量の断熱手袋を掛けられ、同時に掛け枠を一定的な高さに上げて便利に干せ、設備が干すとき均一に回転でき、より均一に干せ、使用の実用性を高め、高い使用と普及価値がある。
【図面の簡単な説明】
【００１１】
下記に図１〜３をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明の断熱手袋干し装置の全体構造概略図
【図２】図２は図１のＡ―Ａの構造概略図
【図３】図３は図１のＢ―Ｂの構造概略図
【発明を実施するための形態】
【００１３】
本発明書に開示した全ての特徴、或いは開示した全ての方法、過程中のステップは、互いに排斥する特徴或いはステップ以外に、いかなる方式で組み合わせることができる。
【００１４】
下記に図１〜３に合わせて本発明を詳しく説明し、図１〜３に示すように、本発明の断熱手袋干し装置は、本体１００と前記本体１００の中に位置している操作チャンバ４８とを含み、前記操作チャンバ４８の右壁の中には両側が貫通している掛けチャンバ１０が設置され、前記掛けチャンバ１０の中には掛け装置２００が設置され、前記操作チャンバ４８の底壁の中には切り換えチャンバ４０が設置され、前記切り換えチャンバ４０の中にはネジ山スリーブ３８が回転できるように設置され、前記ネジ山スリーブ３８の外表面には第一歯車３９が固定的に設置され、前記ネジ山スリーブ３８の中には上下に貫通しているネジ山穴３７が設置され、前記ネジ山穴３７の中には上下に伸びているネジ山ロッド３３がねじ山により連結され、前記ネジ山ロッド３３の頂部末端には回転盤４１が固定的に設置され、前記切り換えチャンバ４０の中には上げ装置３００が設置され、前記切り換えチャンバ４０の底壁の中には上方に開口したスライドチャンバ３５が設置され、前記スライドチャンバ３５の中にはスライドブロック２８がスライドできるように設置され、前記スライドブロック２８には動力装置４００が設置され、前記切り換えチャンバ４０の底壁の中には回転チャンバ３１が設置され、前記回転チャンバ３１の中には回転装置５００が設置される。
【００１５】
前記掛け装置２００は前記掛けチャンバ１０の後壁の中に設置される伝動チャンバ５４を含み、前記伝動チャンバ５４と前記掛けチャンバ１０との間には第一回転軸５１が回転できるように設置され、前記掛けチャンバ１０の中にある前記第一回転軸５１の末端には回転ブロック１１が固定的に設置され、前記回転ブロック１１の外円周には八つの凹溝１２が環状に排列するように設置され、前記伝動チャンバ５４の中にある前記第一回転軸５１の末端には第一傘歯車５０と前記第一傘歯車５０の後側に位置している回し輪４９とが固定的に設置され、前記伝動チャンバ５４の底壁の中にはベルトチャンバ１３が設置され、前記ベルトチャンバ１３と前記伝動チャンバ５４との間には第二回転軸５２が回転できるように設置され、前記伝動チャンバ５４の中にある前記第二回転軸５２の末端には前記第一傘歯車５０と噛合する第二傘歯車５３が固定的に設置され、前記ベルトチャンバ１３の中にある前記第二回転軸５２の末端には第一プーリー１４が固定的に設置され、前記ベルトチャンバ１３と前記切り換えチャンバ４０との間には第三回転軸１７が回転できるように設置され、前記ベルトチャンバ１３の中にある前記第三回転軸１７の末端には第二プーリー１６が固定的に設置され、前記第二プーリー１６と前記第一プーリー１４との間がベルト１５により伝動できるように連結され、前記切り換えチャンバ４０の中にある前記第三回転軸１７の末端には第二歯車１８が固定的に設置される。
【００１６】
有益的には、前記上げ装置３００は前記回転盤４１の外表面に環状に設置される四組の掛け枠４２を含み、前記掛け枠４２の底壁には二つの固定座４３が設置され、前記固定座４３の中には第四回転軸４６が回転できるように設置され、前記第四回転軸４６の外表面には伝送輪４５が固定的に設置され、両側の前記伝送輪４５の間が強い磁力を持つ伝送ベルト４４により伝動できるように接続され、外側の前記第四回転軸４６の末端には前記回し輪４９と連結される溝車４７が固定的に設置される。
【００１７】
有益的には、前記動力装置４００は前記スライドブロック２８の頂壁の中に固定的に設置される第一モータ２８を含み、前記第一モータ２８の出力軸のうち上に伸びている末端には第三歯車１９が固定的に設置され、前記スライドチャンバ３５の右壁の中にはカムチャンバ２０が設置され、前記カムチャンバ２０と前記スライドチャンバ３５との間には第一スライド穴２６が連通するように設置され、前記第一スライド穴２６の中には前記スライドブロック２８と固定的に連結されるスライドロッド２５がスライドできるように設置され、前記スライドロッド２５と前記第一スライド穴２６の端壁との間には第一復帰装置２７が弾性を持つように設置され、前記カムチャンバ２０の底壁の中には歯車チャンバ２２が設置され、前記歯車チャンバ２２と前記カムチャンバ２０との間には第五回転軸２１が回転できるように設置され、前記歯車チャンバ２２の中にある前記第五回転軸２１の末端には第四歯車２３が固定的に設置され、前記カムチャンバ２０の中にある前記第五回転軸２１の末端には第一カム２４が固定的に設置される。
【００１８】
有益的には、前記回転装置５００は前記ネジ山ロッド３３の底壁の中に設置されるスプライン穴３６を含み、前記スプライン穴３６の中には下に伸びているスプライン軸３２がスプラインにより連結され、前記スプライン軸３２の底部末端が前記回転チャンバ３１の中に伸びており、且つ前記スプライン軸３２の底部末端にはウォームホイール３０が固定的に設置され、前記回転チャンバ３１の後壁の中には押圧チャンバ５５が設置され、前記押圧チャンバ５５と前記回転チャンバ３１との間には前記ウォームホイール３０と噛合しているウォーム２９が回転できるように設置され、前記ウォーム２９の末端が前記押圧チャンバ５５の中に挿入され、且つ前記ウォーム２９の末端と前記押圧チャンバ５５の後壁の中に固定的に設置される第二モータ６０とが伝動できるように連結され、前記押圧チャンバ５５の中にある前記ウォーム２９の外表面には第二カム５６が固定的に設置され、前記押圧チャンバ５５と前記歯車チャンバ２２との間には第二スライド穴５９が連通するように設置され、前記第二スライド穴５９の中にはラック５７がスライドできるように設置され、前記ラック５７と前記第二スライド穴５９の端壁との間には第二復帰装置５８が弾性を持つように設置される。
【００１９】
下記に、図１〜３と上記記述した本出願の断熱手袋干し装置の具体的な構成を参考し、その使用方法を詳しく紹介する：
【００２０】
本発明設備が作動するとき、断熱手袋の中に磁力吸引ロッドを入れ、そして磁力吸引ロッドを順次に凹溝１２の中に挿入し、第一モータ３４を始動し、第一モータ３４が回転し第三歯車１９と、第二歯車１８と、第二プーリー１６と、第一プーリー１４と、第二傘歯車５３及び第一傘歯車５０を順次に回転連動させ、それにより回し輪４９を回転連動させ、このとき回し輪４９が回転し溝車４７を回転連動させ、溝車４７が回転し伝送輪４５を回転連動させ、同時に伝送ベルト４４が磁力吸引ブロックを均一に回転連動させ、磁力吸引ブロックと磁力吸引ロッド入れの断熱手袋とが近づくとき、磁力吸引ブロックが断熱手袋を通して伝送ベルト４４に吸着し、第一組の掛け枠４２に掛けるものがいっぱいになった後、第二モータ６０を始動し、第二モータ６０が回転しウォーム２９を回転連動させ、それによりウォームホイール３０を回転連動させ、ウォームホイール３０が回転しスプライン軸３２を回転連動させ、それにより回転盤４１を回転連動させ、それにより次の組の掛け枠４２の掛けを行い、こうして繰り返し、四組の掛け枠４２がいずれもいっぱいにあるとき、第二カム５６がちょうどラック５７と当接し、このとき第二モータ６０を始動し、第二モータ６０が続けて回転し第二カム５６を連動させ、第二カム５６がラック５７を押圧し移動させ、それにより第四歯車２３を回転連動させ、それにより第一カム２４を連動させ、第一カム２４がスライドロッド２５を押圧し、それによりスライドブロック２８を移動連動させ、それにより第三歯車１９を連動させて第一歯車３９と噛合させ、このとき第一モータ３４を始動し、第一モータ３４が第三歯車１９を回転連動させ、第三歯車１９が第一歯車３９を回転連動させ、それによりネジ山スリーブ３８を回転連動させ、ネジ山スリーブ３８が回転しネジ山ロッド３３を上に移動連動させ、それにより回転盤４１を上に移動連動させ、それにより掛け装置２００を上げ、干しに便利であり、同時に第二モータ６０を始動し、第二モータ６０が回転し回転盤４１を回転連動させ、より均一に干せる。
【００２１】
上記の詳細な分析から分かるように、本発明の手袋干し装置は全体構造においてより合理的で巧妙であり、使用しやすく、同時に自動的に大量の断熱手袋を掛けられ、同時に掛け枠を一定的な高さに上げて便利に干せ、設備が干すとき均一に回転でき、より均一に干せ、使用の実用性を高め、高い使用と普及価値がある。
【００２２】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020175133.tif 000003
【図２】
2020175133.tif 000004
【図３】
2020175133.tif 000005
【手続補正書】
【提出日】令和2年8月27日(2020.8.27)
【手続補正１】
【補正対象書類名】特許請求の範囲
【補正対象項目名】全文
【補正方法】変更
【補正の内容】
【特許請求の範囲】
【請求項１】
本体と前記本体の中に位置している操作チャンバとを含み、前記操作チャンバの右壁の内部には両側が貫通している掛けチャンバが設置され、前記掛けチャンバと前記掛けチャンバの側壁との内部には同一の掛け装置が設置され、前記操作チャンバの底壁の内部には切り換えチャンバが設置され、前記切り換えチャンバの上下壁の間にはネジ山スリーブが回転できるように設置され、前記ネジ山スリーブの外表面には第一歯車が固定的に設置され、前記ネジ山スリーブの内部には上下に貫通しているネジ山穴が設置され、前記ネジ山穴の内部には上下に伸びているネジ山ロッドがねじ山により連結され、前記ネジ山ロッドの頂部末端には回転盤が固定的に設置され、前記切り換えチャンバと前記切り換えチャンバの上下両側とには同一の上げ装置が設置され、前記切り換えチャンバの底壁の内部には上方に開口したスライドチャンバが設置され、前記スライドチャンバの内部にはスライドブロックがスライドできるように設置され、前記スライドブロックには動力装置が設置され、前記切り換えチャンバの底壁の内部には回転チャンバが設置され、前記回転チャンバと前記回転チャンバの上下両側とには同一の回転装置が設置され、
前記掛け装置は前記掛けチャンバの後壁の内部に設置される伝動チャンバと、前記伝動チャンバに関連している下記に述べた機構とを含み、前記伝動チャンバと前記掛けチャンバとの間には第一回転軸が回転できるように設置され、前記掛けチャンバの中にある前記第一回転軸の末端には回転ブロックが固定的に設置され、前記回転ブロックの外円周には八つの凹溝が環状に排列するように設置され、前記伝動チャンバの中にある前記第一回転軸の末端には第一傘歯車と前記第一傘歯車の後側に位置している回し輪とが固定的に設置され、前記伝動チャンバの底壁の内部にはベルトチャンバが設置され、前記ベルトチャンバと前記伝動チャンバとの間には第二回転軸が回転できるように設置され、前記伝動チャンバの中にある前記第二回転軸の末端には前記第一傘歯車と噛合する第二傘歯車が固定的に設置され、前記ベルトチャンバの中にある前記第二回転軸の末端には第一プーリーが固定的に設置され、前記ベルトチャンバと前記切り換えチャンバとの間には第三回転軸が回転できるように設置され、前記ベルトチャンバの中にある前記第三回転軸の末端には第二プーリーが固定的に設置され、前記第二プーリーと前記第一プーリーとの間がベルトにより伝動できるように連結され、前記切り換えチャンバの中にある前記第三回転軸の末端には第二歯車が固定的に設置され、
前記上げ装置は前記回転盤の外表面に環状に設置される四組の掛け枠と、四組の前記掛け枠に関連している下記に述べた機構とを含み、前記掛け枠の底壁には二つの固定座が設置され、前記固定座の内部には第四回転軸が回転できるように設置され、前記第四回転軸の外表面には伝送輪が固定的に設置され、両側の前記伝送輪の間が強い磁力を持つ伝送ベルトにより伝動できるように接続され、外側の前記第四回転軸の末端には前記回し輪と連結される溝車が固定的に設置され、
前記動力装置は前記スライドブロックの頂壁の中に固定的に設置される第一モータと、前記第一モータに関連している下記に述べた機構とを含み、前記第一モータの出力軸のうち上に伸びている末端には第三歯車が固定的に設置され、前記スライドチャンバの右壁の内部にはカムチャンバが設置され、前記カムチャンバと前記スライドチャンバとの間には第一スライド穴が連通するように設置され、前記第一スライド穴の内部には前記スライドブロックと固定的に連結されるスライドロッドがスライドできるように設置され、前記スライドロッドと前記第一スライド穴の端壁との間には第一復帰装置が弾性を持つように設置され、前記カムチャンバの底壁の内部には歯車チャンバが設置され、前記歯車チャンバと前記カムチャンバとの間には第五回転軸が回転できるように設置され、前記歯車チャンバの中にある前記第五回転軸の末端には第四歯車が固定的に設置され、前記カムチャンバの中にある前記第五回転軸の末端には第一カムが固定的に設置され、
前記回転装置は前記ネジ山ロッドの底壁の内部に設置されるスプライン穴と、前記スプライン穴に関連している下記に述べた機構とを含み、前記スプライン穴の内部には下に伸びているスプライン軸がスプラインにより連結され、前記スプライン軸の底部末端が前記回転チャンバの中に伸びており、且つ前記スプライン軸の底部末端にはウォームホイールが固定的に設置され、前記回転チャンバの後壁の内部には押圧チャンバが設置され、前記押圧チャンバと前記回転チャンバとの間には前記ウォームホイールと噛合しているウォームが回転できるように設置され、前記ウォームの末端が前記押圧チャンバの中に挿入され、且つ前記ウォームの末端と前記押圧チャンバの後壁の中に固定的に設置される第二モータとが伝動できるように連結され、前記押圧チャンバの中にある前記ウォームの外表面には第二カムが固定的に設置され、前記押圧チャンバと前記歯車チャンバとの間には第二スライド穴が連通するように設置され、前記第二スライド穴の内部にはラックがスライドできるように設置され、前記ラックと前記第二スライド穴の端壁との間には第二復帰装置が弾性を持つように設置されることを特徴とする断熱手袋干し装置。
【手続補正２】
【補正対象書類名】明細書
【補正対象項目名】全文
【補正方法】変更
【補正の内容】
【発明の詳細な説明】
【技術分野】
【０００１】
本発明は防護用品分野を取り上げて、具体的には断熱手袋干し装置である。
【背景技術】
【０００２】
断熱手袋は各種の形式の高温熱度を隔てられ、手の傷害を防止する防護性手袋であり、その使用環境が衛生に対する要求が高いため、タイムリーに洗浄し干す必要があり、伝統的な干し装置は同時に干した手袋の量が少なく、また自動化程度が低く、干しが不便であり、同時にこれらの設備の干しが均一ではなく、回転干しできなく、従って断熱手袋干し装置を設計し手袋を干し、それにより干し効率を高める。
【先行技術文献】
【特許文献】
【０００３】
【特許文献１】中国特許出願公開第１０９１０５９８５号明細書
【発明の概要】
【発明が解決しようとする課題】
【０００４】
本発明の目的は断熱手袋干し装置を提供し、それは上記の現在の技術中の問題を解決できる。
【課題を解決するための手段】
【０００５】
本発明の断熱手袋干し装置は、本体と前記本体の中に位置している操作チャンバとを含み、前記操作チャンバの右壁の内部には両側が貫通している掛けチャンバが設置され、前記掛けチャンバと前記掛けチャンバの側壁との内部には同一の掛け装置が設置され、前記操作チャンバの底壁の内部には切り換えチャンバが設置され、前記切り換えチャンバの上下壁の間にはネジ山スリーブが回転できるように設置され、前記ネジ山スリーブの外表面には第一歯車が固定的に設置され、前記ネジ山スリーブの内部には上下に貫通しているネジ山穴が設置され、前記ネジ山穴の内部には上下に伸びているネジ山ロッドがねじ山により連結され、前記ネジ山ロッドの頂部末端には回転盤が固定的に設置され、前記切り換えチャンバと前記切り換えチャンバの上下両側とには同一の上げ装置が設置され、前記切り換えチャンバの底壁の内部には上方に開口したスライドチャンバが設置され、前記スライドチャンバの内部にはスライドブロックがスライドできるように設置され、前記スライドブロックには動力装置が設置され、前記切り換えチャンバの底壁の内部には回転チャンバが設置され、前記回転チャンバと前記回転チャンバの上下両側とには同一の回転装置が設置される。
【０００６】
前記掛け装置は前記掛けチャンバの後壁の内部に設置される伝動チャンバと、前記伝動チャンバに関連している下記に述べた機構とを含み、前記伝動チャンバと前記掛けチャンバとの間には第一回転軸が回転できるように設置され、前記掛けチャンバの中にある前記第一回転軸の末端には回転ブロックが固定的に設置され、前記回転ブロックの外円周には八つの凹溝が環状に排列するように設置され、前記伝動チャンバの中にある前記第一回転軸の末端には第一傘歯車と前記第一傘歯車の後側に位置している回し輪とが固定的に設置され、前記伝動チャンバの底壁の内部にはベルトチャンバが設置され、前記ベルトチャンバと前記伝動チャンバとの間には第二回転軸が回転できるように設置され、前記伝動チャンバの中にある前記第二回転軸の末端には前記第一傘歯車と噛合する第二傘歯車が固定的に設置され、前記ベルトチャンバの中にある前記第二回転軸の末端には第一プーリーが固定的に設置され、前記ベルトチャンバと前記切り換えチャンバとの間には第三回転軸が回転できるように設置され、前記ベルトチャンバの中にある前記第三回転軸の末端には第二プーリーが固定的に設置され、前記第二プーリーと前記第一プーリーとの間がベルトにより伝動できるように連結され、前記切り換えチャンバの中にある前記第三回転軸の末端には第二歯車が固定的に設置される。
【０００７】
前記上げ装置は前記回転盤の外表面に環状に設置される四組の掛け枠と、四組の前記掛け枠に関連している下記に述べた機構とを含み、前記掛け枠の底壁には二つの固定座が設置され、前記固定座の内部には第四回転軸が回転できるように設置され、前記第四回転軸の外表面には伝送輪が固定的に設置され、両側の前記伝送輪の間が強い磁力を持つ伝送ベルトにより伝動できるように接続され、外側の前記第四回転軸の末端には前記回し輪と連結される溝車が固定的に設置される。
【０００８】
優選的には、前記動力装置は前記スライドブロックの頂壁の中に固定的に設置される第一モータと、前記第一モータに関連している下記に述べた機構とを含み、前記第一モータの出力軸のうち上に伸びている末端には第三歯車が固定的に設置され、前記スライドチャンバの右壁の内部にはカムチャンバが設置され、前記カムチャンバと前記スライドチャンバとの間には第一スライド穴が連通するように設置され、前記第一スライド穴の内部には前記スライドブロックと固定的に連結されるスライドロッドがスライドできるように設置され、前記スライドロッドと前記第一スライド穴の端壁との間には第一復帰装置が弾性を持つように設置され、前記カムチャンバの底壁の内部には歯車チャンバが設置され、前記歯車チャンバと前記カムチャンバとの間には第五回転軸が回転できるように設置され、前記歯車チャンバの中にある前記第五回転軸の末端には第四歯車が固定的に設置され、前記カムチャンバの中にある前記第五回転軸の末端には第一カムが固定的に設置される。
【０００９】
優選的には、前記回転装置は前記ネジ山ロッドの底壁の内部に設置されるスプライン穴と、前記スプライン穴に関連している下記に述べた機構とを含み、前記スプライン穴の内部には下に伸びているスプライン軸がスプラインにより連結され、前記スプライン軸の底部末端が前記回転チャンバの中に伸びており、且つ前記スプライン軸の底部末端にはウォームホイールが固定的に設置され、前記回転チャンバの後壁の内部には押圧チャンバが設置され、前記押圧チャンバと前記回転チャンバとの間には前記ウォームホイールと噛合しているウォームが回転できるように設置され、前記ウォームの末端が前記押圧チャンバの中に挿入され、且つ前記ウォームの末端と前記押圧チャンバの後壁の中に固定的に設置される第二モータとが伝動できるように連結され、前記押圧チャンバの中にある前記ウォームの外表面には第二カムが固定的に設置され、前記押圧チャンバと前記歯車チャンバとの間には第二スライド穴が連通するように設置され、前記第二スライド穴の内部にはラックがスライドできるように設置され、前記ラックと前記第二スライド穴の端壁との間には第二復帰装置が弾性を持つように設置される。
【発明の効果】
【００１０】
本発明の有益的な効果は：本発明の手袋干し装置は全体構造においてより合理的で巧妙であり、使用しやすく、同時に自動的に大量の断熱手袋を掛けられ、同時に掛け枠を一定的な高さに上げて便利に干せ、設備が干すとき均一に回転でき、より均一に干せ、使用の実用性を高め、高い使用と普及価値がある。
【図面の簡単な説明】
【００１１】
下記に図１〜３をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明の断熱手袋干し装置の全体構造概略図
【図２】図２は図１のＡ―Ａの構造概略図
【図３】図３は図１のＢ―Ｂの構造概略図
【発明を実施するための形態】
【００１３】
本発明書に開示した全ての特徴、或いは開示した全ての方法、過程中のステップは、互いに排斥する特徴或いはステップ以外に、いかなる方式で組み合わせることができる。
【００１４】
下記に図１〜３に合わせて本発明を詳しく説明し、図１〜３に示すように、本発明の断熱手袋干し装置は、本体１００と前記本体１００の中に位置している操作チャンバ４８とを含み、前記操作チャンバ４８の右壁の内部には両側が貫通している掛けチャンバ１０が設置され、前記掛けチャンバ１０と前記掛けチャンバ１０の側壁との内部には同一の掛け装置２００が設置され、前記操作チャンバ４８の底壁の内部には切り換えチャンバ４０が設置され、前記切り換えチャンバ４０の上下壁の間にはネジ山スリーブ３８が回転できるように設置され、前記ネジ山スリーブ３８の外表面には第一歯車３９が固定的に設置され、前記ネジ山スリーブ３８の内部には上下に貫通しているネジ山穴３７が設置され、前記ネジ山穴３７の内部には上下に伸びているネジ山ロッド３３がねじ山により連結され、前記ネジ山ロッド３３の頂部末端には回転盤４１が固定的に設置され、前記切り換えチャンバ４０と前記切り換えチャンバ４０の上下両側とには同一の上げ装置３００が設置され、前記切り換えチャンバ４０の底壁の内部には上方に開口したスライドチャンバ３５が設置され、前記スライドチャンバ３５の内部にはスライドブロック２８がスライドできるように設置され、前記スライドブロック２８には動力装置４００が設置され、前記切り換えチャンバ４０の底壁の内部には回転チャンバ３１が設置され、前記回転チャンバ３１と前記回転チャンバ３１の上下両側とには同一の回転装置５００が設置される。
【００１５】
前記掛け装置２００は前記掛けチャンバ１０の後壁の内部に設置される伝動チャンバ５４と、前記伝動チャンバ５４に関連している下記に述べた機構とを含み、前記伝動チャンバ５４と前記掛けチャンバ１０との間には第一回転軸５１が回転できるように設置され、前記掛けチャンバ１０の中にある前記第一回転軸５１の末端には回転ブロック１１が固定的に設置され、前記回転ブロック１１の外円周には八つの凹溝１２が環状に排列するように設置され、前記伝動チャンバ５４の中にある前記第一回転軸５１の末端には第一傘歯車５０と前記第一傘歯車５０の後側に位置している回し輪４９とが固定的に設置され、前記伝動チャンバ５４の底壁の内部にはベルトチャンバ１３が設置され、前記ベルトチャンバ１３と前記伝動チャンバ５４との間には第二回転軸５２が回転できるように設置され、前記伝動チャンバ５４の中にある前記第二回転軸５２の末端には前記第一傘歯車５０と噛合する第二傘歯車５３が固定的に設置され、前記ベルトチャンバ１３の中にある前記第二回転軸５２の末端には第一プーリー１４が固定的に設置され、前記ベルトチャンバ１３と前記切り換えチャンバ４０との間には第三回転軸１７が回転できるように設置され、前記ベルトチャンバ１３の中にある前記第三回転軸１７の末端には第二プーリー１６が固定的に設置され、前記第二プーリー１６と前記第一プーリー１４との間がベルト１５により伝動できるように連結され、前記切り換えチャンバ４０の中にある前記第三回転軸１７の末端には第二歯車１８が固定的に設置される。
【００１６】
有益的には、前記上げ装置３００は前記回転盤４１の外表面に環状に設置される四組の掛け枠４２と、四組の前記掛け枠４２に関連している下記に述べた機構とを含み、前記掛け枠４２の底壁には二つの固定座４３が設置され、前記固定座４３の内部には第四回転軸４６が回転できるように設置され、前記第四回転軸４６の外表面には伝送輪４５が固定的に設置され、両側の前記伝送輪４５の間が強い磁力を持つ伝送ベルト４４により伝動できるように接続され、外側の前記第四回転軸４６の末端には前記回し輪４９と連結される溝車４７が固定的に設置される。
【００１７】
有益的には、前記動力装置４００は前記スライドブロック２８の頂壁の中に固定的に設置される第一モータ３４と、前記第一モータ３４に関連している下記に述べた機構とを含み、前記第一モータ３４の出力軸のうち上に伸びている末端には第三歯車１９が固定的に設置され、前記スライドチャンバ３５の右壁の内部にはカムチャンバ２０が設置され、前記カムチャンバ２０と前記スライドチャンバ３５との間には第一スライド穴２６が連通するように設置され、前記第一スライド穴２６の内部には前記スライドブロック２８と固定的に連結されるスライドロッド２５がスライドできるように設置され、前記スライドロッド２５と前記第一スライド穴２６の端壁との間には第一復帰装置２７が弾性を持つように設置され、前記カムチャンバ２０の底壁の内部には歯車チャンバ２２が設置され、前記歯車チャンバ２２と前記カムチャンバ２０との間には第五回転軸２１が回転できるように設置され、前記歯車チャンバ２２の中にある前記第五回転軸２１の末端には第四歯車２３が固定的に設置され、前記カムチャンバ２０の中にある前記第五回転軸２１の末端には第一カム２４が固定的に設置される。
【００１８】
有益的には、前記回転装置５００は前記ネジ山ロッド３３の底壁の中に設置されるスプライン穴３６と、前記スプライン穴３６に関連している下記に述べた機構とを含み、前記スプライン穴３６の内部には下に伸びているスプライン軸３２がスプラインにより連結され、前記スプライン軸３２の底部末端が前記回転チャンバ３１の中に伸びており、且つ前記スプライン軸３２の底部末端にはウォームホイール３０が固定的に設置され、前記回転チャンバ３１の後壁の内部には押圧チャンバ５５が設置され、前記押圧チャンバ５５と前記回転チャンバ３１との間には前記ウォームホイール３０と噛合しているウォーム２９が回転できるように設置され、前記ウォーム２９の末端が前記押圧チャンバ５５の中に挿入され、且つ前記ウォーム２９の末端と前記押圧チャンバ５５の後壁の中に固定的に設置される第二モータ６０とが伝動できるように連結され、前記押圧チャンバ５５の中にある前記ウォーム２９の外表面には第二カム５６が固定的に設置され、前記押圧チャンバ５５と前記歯車チャンバ２２との間には第二スライド穴５９が連通するように設置され、前記第二スライド穴５９の内部にはラック５７がスライドできるように設置され、前記ラック５７と前記第二スライド穴５９の端壁との間には第二復帰装置５８が弾性を持つように設置される。
【００１９】
下記に、図１〜３と上記記述した本出願の断熱手袋干し装置の具体的な構成を参考し、その使用方法を詳しく紹介する：
【００２０】
本発明設備が作動するとき、断熱手袋の中に磁力吸引ロッドを入れ、そして磁力吸引ロッドを順次に凹溝１２の中に挿入し、第一モータ３４を始動し、第一モータ３４が回転し第三歯車１９と、第二歯車１８と、第二プーリー１６と、第一プーリー１４と、第二傘歯車５３及び第一傘歯車５０を順次に回転連動させ、それにより回し輪４９を回転連動させ、このとき回し輪４９が回転し溝車４７を回転連動させ、溝車４７が回転し伝送輪４５を回転連動させ、同時に伝送ベルト４４が磁力吸引ブロックを均一に回転連動させ、磁力吸引ブロックと磁力吸引ロッド入れの断熱手袋とが近づくとき、磁力吸引ブロックが断熱手袋を伝送ベルト４４に吸着させ、第一組の掛け枠４２に掛けるものがいっぱいになった後、第二モータ６０を始動し、第二モータ６０が回転しウォーム２９を回転連動させ、それによりウォームホイール３０を回転連動させ、ウォームホイール３０が回転しスプライン軸３２を回転連動させ、それにより回転盤４１を回転連動させ、それにより次の組の掛け枠４２の掛けを行い、こうして繰り返し、四組の掛け枠４２がいずれもいっぱいにあるとき、第二カム５６がちょうどラック５７と当接し、このとき第二モータ６０を始動し、第二モータ６０が続けて回転し第二カム５６を連動させ、第二カム５６がラック５７を押圧し移動させ、それにより第四歯車２３を回転連動させ、それにより第一カム２４を連動させ、第一カム２４がスライドロッド２５を押圧し、それによりスライドブロック２８を移動連動させ、それにより第三歯車１９を連動させて第一歯車３９と噛合させ、このとき第一モータ３４を始動し、第一モータ３４が第三歯車１９を回転連動させ、第三歯車１９が第一歯車３９を回転連動させ、それによりネジ山スリーブ３８を回転連動させ、ネジ山スリーブ３８が回転しネジ山ロッド３３を上に移動連動させ、それにより回転盤４１を上に移動連動させ、それにより掛け装置２００を上げ、干しに便利であり、同時に第二モータ６０を始動し、第二モータ６０が回転し回転盤４１を回転連動させ、より均一に干せる。
【００２１】
上記の詳細な分析から分かるように、本発明の手袋干し装置は全体構造においてより合理的で巧妙であり、使用しやすく、同時に自動的に大量の断熱手袋を掛けられ、同時に掛け枠を一定的な高さに上げて便利に干せ、設備が干すとき均一に回転でき、より均一に干せ、使用の実用性を高め、高い使用と普及価値がある。
【００２２】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。